(57)【要約】【課題】低コストで一方の面の位置でキーコードが特定される鍵を使用可能なキーコードを変更できる小型のシリンダ錠を提供することができるようにする。【解決手段】内周シリンダ２０３に挿入された鍵の挿入部４１２のキーコードに対応する面（位置決め面４２４）に可変タンブラ２３３−４が当接することによって、可変タンブラ２３３−４に挿入されている可変タンブラ２３４−４が上下方向に移動する。可変タンブラ２３４−４が移動することで、可変タンブラ２３４−４と噛合部２３１−４ｂで噛合しているタンブラ２３１−４により施錠するか、または開錠する動作が決定される。本発明は、キーコードを変更できるシリンダ錠に適用することができる。【選択図】図２３
2005163326.tif 000002
【特許請求の範囲】
【請求項１】
シリンダに挿入された鍵のキーコードに対応する面に当接することによって、前記キーコードに応じて前記面の位置が変化する方向である第１の方向の前記位置が特定される第１のタンブラと、
前記第１の方向の位置が前記第１のタンブラの前記第１の方向の前記位置に追従し、前記第１の方向および前記鍵の挿入の方向に直交する第２の方向の位置が第１の位置または第２の位置に移動可能に設けられた第２のタンブラと、
前記第２のタンブラが前記第２の方向の前記第１の位置に移動している場合、前記第１の方向に並ぶ複数の位置決め部分のうちの、１つの前記位置決め部分と、前記第２のタンブラの一部とが接することによって、前記第２のタンブラを介して、前記第１のタンブラの前記第１の方向の動きが伝達されて、前記第１の方向の前記位置が特定され、前記第１の方向の前記位置によって、施錠するか、または開錠する動作を決定する第３のタンブラと
を含み、
さらに、前記第２のタンブラは、前記第２の方向の前記第２の位置に移動している場合、前記第３のタンブラの複数の前記位置決め部分から離れ、前記鍵が挿入されたとき、前記第１のタンブラに追従することにより、挿入されている前記鍵のキーコードに対応する前記面で定まる位置であって、複数の前記位置決め部分のうちの、１つの前記位置決め部分と接することができる位置に移動される
ことを特徴とするシリンダ錠。
【請求項２】
前記第２のタンブラを、シリンダの回動位置に応じて、前記第２の方向の前記第１の位置または前記第２の位置に移動させると共に、前記第１の方向に移動自在に保持するホルダをさらに含む
ことを特徴とする請求項１に記載のシリンダ錠。
【請求項３】
前記第１のタンブラを前記鍵のキーコードに対応する前記面に当接させるように、前記第１のタンブラに付勢するバネをさらに含む
ことを特徴とする請求項１に記載のシリンダ錠。
【請求項４】
内周面に凹部を有するケースと、
前記ケースの前記凹部に対応する、前記シリンダの部位に回動自在に設けられ、前記シリンダに前記鍵が完全に挿入されていない場合、前記凹部に掛止し、前記シリンダに前記鍵が完全に挿入された場合、前記鍵の押圧による回動により、前記凹部との掛止が解除されるレバーと
をさらに含むことを特徴とする請求項１に記載のシリンダ錠。
【発明の詳細な説明】
【技術分野】
【０００１】
本発明は、シリンダ錠に関し、特に、施錠または開錠できる鍵を変更することができるようにしたシリンダ錠に関する。
【背景技術】
【０００２】
遊技場の遊技機、いわゆる、パチンコ店のパチンコ台などには、第三者による、不正な操作を防止するためにシリンダ錠が用いられている。一方、遊技場側が遊技機を容易に管理することができるようにするため、１つの遊技場においては、１つの鍵で、それぞれの遊技機に設けられたシリンダ錠を施錠または開錠（解錠）できることが要求される。
【０００３】
シリンダ錠の鍵を紛失したり、不正に合鍵を作成された場合、または、不正に開錠される恐れが生じた場合、シリンダ錠を他の鍵で施錠または開錠できるものに取り替えなければならなかった。この場合、１つの鍵で施錠または開錠できるシリンダ錠を新たに多数準備すると、多額の費用がかかってしまう。また、シリンダ錠の取替え作業にも手間と時間がかかってしまっていた。
【０００４】
また、遊技機を新たに購入した場合、遊技機に設けられたシリンダ錠を、既に使用されている鍵で、施錠または開錠（解錠）できるようにすることが必要である。
【０００５】
このため、施錠または開錠できる鍵を自由に変更可能なシリンダ錠が提案されている。
【０００６】
図１乃至図１０を参照して、従来の施錠または開錠できる鍵を自由に変更可能なシリンダ錠１について説明する。図１乃至図１０は、従来のシリンダ錠１の縦断面図である。シリンダ錠１のケース１０は、略筒状に形成される。ケース１０の後端部（図１中の右側）に取り付けフランジ１１が設けられている。
【０００７】
取り付けフランジ１１に対して取り付け面が一致するように背面カバー１２が設けられている。ケース１０の図中の上側の外周には、カバー１３が設けられている。ケース１０の図中の下側の外周には、カバー１４が設けられている。
【０００８】
中間シリンダ２１は、ケース１０の内側に回動可能に設けられている。中間シリンダ２１の図中の右端の軸２１ａは、背面カバー１２を貫通して、ケース１０の外部に露出し、図示せぬ施錠カムが装着される。
【０００９】
中間シリンダ２１の内側には、さらに、内周シリンダ２２が回動可能に設けられている。内周シリンダ２２の、ケース１０の前端部（図１中の左側）には、鍵が挿入される鍵孔２２ａが設けられている。
【００１０】
中間シリンダ２１および内周シリンダ２２は、施錠または開錠されるとき、鍵とともに回動し、軸２１ａに取り付けられた施錠カムを回動させる。
【００１１】
取り付けフランジ１１には、さらに、リセットピン孔３０が設けられている。リセットピン孔３０には、図中の上下方向に移動可能に、リセットボタン３１が配置されている。リセットピン３２、補助ピン３３、ドライバピン３４、およびバネ３５は、ケース１０、中間シリンダ２１、および内周シリンダ２２の円筒状の孔に連通するように配置されている。リセットピン３２の上端は、リセットボタン３１の凸部３１ａに当接する。バネ３５は、リセットピン３２、補助ピン３３、およびドライバピン３４を図中の上方向に付勢する。
【００１２】
リセットボタン３１が図中の下方向に押圧されたとき、リセットボタン３１の凸部３１ａに当接するリセットピン３２は、図中の下方向に移動し、リセットピン３２によって押圧される、補助ピン３３およびドライバピン３４が、図中の下方向に移動する。
【００１３】
ドライバピン孔４１−１乃至４１−８のそれぞれは、ケース１０の図中の上下方向の円筒状の孔、中間シリンダ２１の図中の上下方向の円筒状の孔、および内周シリンダ２２の図中の上下方向の円筒状の孔からなる。ドライバピン孔４１−１乃至４１−８は、ケース１０の軸方向（鍵が挿入される方向と一致する方向）に配列されている。
【００１４】
一方、ドライバピン孔５１−１乃至５１−８のそれぞれは、ケース１０の図中の上下方向の円筒状の孔および中間シリンダ２１の図中の上下方向の円筒状の孔からなり、ドライバピン孔４１−１乃至４１−８のそれぞれに対向する位置であって、ケース１０の軸方向に配列されている。
【００１５】
カバー１３は、ドライバピン孔４１−１乃至４１−８のケース１０側の開口部を被覆し、カバー１４は、ドライバピン孔５１−１乃至５１−８のケース１０側の開口部を被覆する。
【００１６】
図１で示される状態において、ドライバピン孔５１−１乃至５１−８の他方の開口部は、内周シリンダ２２によって閉じられている。
【００１７】
ドライバピン孔４１−１には、図中の上側から順に、バネ６０、ドライバピン６１、補助ピン６２、およびタンブラ６３が挿入され、連通し、ドライバピン６１、補助ピン６２、およびタンブラ６３は、バネ６０によって図１の下方向に付勢されている。内周シリンダ２２の円筒状の孔は、内側が細く形成され、タンブラ６３は、先端側（図１中の下側）が細く、ドライバピン６１と当接する側が太く形成されている。従って、タンブラ６３は、内周シリンダ２２の円筒状の孔の細くなった部分に当接して、位置決めされる。
【００１８】
また、ドライバピン孔４１−１に対向する位置に配置されているドライバピン孔５１−１には、図中の上から順に、５つの可変ピン６４、ドライバピン６５、およびバネ６６が挿入され、連通し、５つの可変ピン６４、ドライバピン６５は、バネ６６によって図１の上方向に付勢されている。
【００１９】
ドライバピン孔４１−２乃至４１−４、およびドライバピン孔５１−２乃至５１−４には、同様の各種ピンおよびバネが挿入されている。
【００２０】
重複して説明するが、例えば、ドライバピン孔４１−５には、バネ７０、ドライバピン７１、補助ピン７２、タンブラ７３、および２つの可変ピン７４ａが挿入され、連通し、ドライバピン７１、補助ピン７２、タンブラ７３、および２つの可変ピン７４ａは、バネ７０によって図１の下方向に付勢されている。
【００２１】
なお、２つの可変ピン７４ａは、補助ピン７２およびタンブラ７３の間に配置される。
【００２２】
ドライバピン孔５１−５には、３つの可変ピン７４ｂ、ドライバピン７５、およびバネ７６が挿入され、連通し、３つの可変ピン７４ｂおよびドライバピン７５は、バネ７６によって図１の上方向に付勢されている。
【００２３】
補助ピン６２（補助ピン７２を含む）の長さは、中間シリンダ２１の筒状部の肉厚と同等とされている。
【００２４】
図２は、シリンダ錠１に正規の鍵Ｋ1を矢印８０の方向に挿入した状態を表している。鍵Ｋ1には、シリンダ錠１における、個々のタンブラ６３（タンブラ７３を含む）の図中の上下方向の位置を決める、位置決め面８１−１乃至８１−８が設けられている。
【００２５】
以下、１つの鍵によって決まる、タンブラの位置の組み合わせを、その鍵のキーコードとも称する。また、開錠または施錠を許可するタンブラの位置の組み合わせを、その錠のキーコードとも称する。
【００２６】
鍵Ｋ1が挿入されると、ドライバピン孔４１−１乃至４１−８に挿入されているタンブラ６３（タンブラ７３を含む）が、鍵Ｋ1の位置決め面８１−１乃至８１−８（図２では８１−４乃至８１−６の符号を省略している）に当接することにより、各タンブラ６３（タンブラ７３を含む）は図２の上方向に移動する。
【００２７】
タンブラ６３の図中の上方向の移動によって、ドライバピン孔４１−１乃至４１−８において、ケース１０の内周面、および中間シリンダ２１の外周面と、全ての補助ピン６２の上側の面が一致するとともに、補助ピン３３の上側の面とが一致して、ラインＬ1が形成される。ドライバピン孔５１−１乃至５１−８において、ケース１０の内周面、および中間シリンダ２１の外周面と、可変ピン６４の下側の面が一致する。
【００２８】
この場合、中間シリンダ２１の内周面と、全ての補助ピン６２の下側の面が一致する。
【００２９】
一方、中間シリンダ２１の内周面と、ドライバピン３４の上面とは一致しない。
【００３０】
従って、ケース１０に対して、中間シリンダ２１および内周シリンダ２２が、一体に、回動可能になる。
【００３１】
図３で示されるように、矢印９１の方向にリセットボタン３１を押圧すると、リセットピン３２、補助ピン３３、およびドライバピン３４が図中の下側に移動して、ケース１０の内周面、および中間シリンダ２１の外周面と、補助ピン３３の上側の面とが一致せず、中間シリンダ２１の内周面と、全ての補助ピン６２の下側の面とが一致すると共に、ドライバピン３４の上側の面が一致することによりラインＬ2が形成される。
【００３２】
その結果、ケース１０に対して、中間シリンダ２１は固定されると共に、中間シリンダ２１に対して、内周シリンダ２２は回動可能になる。
【００３３】
従って、図４で示されるように矢印９２の方向（時計回り、または反時計回りの方向）に鍵Ｋ1を１８０°回動させることで内周シリンダ２２だけが１８０°回動し、図４に示す状態になる（ケース１０および中間シリンダ２１に対して、内周シリンダ２２が反転した状態になる）。
【００３４】
図４で示される状態において、ドライバピン孔５１−１乃至５１−８のそれぞれには、図中の上から順に、タンブラ６３、５つの可変ピン６４、ドライバピン６５、およびバネ６６が配置されることになる。
【００３５】
図５は、鍵Ｋ1を矢印１０１の方向に引き抜く様子を表している。
【００３６】
図６は、鍵Ｋ1を引き抜いたシリンダ錠１の状態を表している。すなわち、図６で示されるように鍵Ｋ1を引き抜くとドライバピン孔５１−１乃至５１−８において、バネ６６の付勢力により、タンブラ６３、５つの可変ピン６４、およびドライバピン６５は、図中の上側に移動し、タンブラ６３が、内周シリンダ２２の円筒状の孔の細くなった部分に当接することによって、位置決めされる。すなわち、タンブラ６３、５つの可変ピン６４、およびドライバピン６５は、ドライバピン孔５１−１乃至５１−８のそれぞれに対して、同じ位置に配置されることになる。
【００３７】
図７で示されるように、図６で示される状態のシリンダ錠１のキーコードを変更するため、新たな鍵Ｋ2が、矢印１１１の方向に移動されシリンダ錠１に挿入される。これにより、各タンブラ６３は、鍵Ｋ2の位置決め面１２１−１乃至１２１−８（図７では、位置決め面１２１−３乃至１２１−６の符号を省略している）のいずれかに当接することによって、内周シリンダ２２に対する、各タンブラ６３の位置が変化する。
【００３８】
この状態で、図８で示されるように鍵Ｋ2を矢印１３１の方向（時計回り、または反時計回りの方向）に１８０°回動させることで、ケース１０および中間シリンダ２１に対して、内周シリンダ２２のみが１８０°回動し、反転する。このとき、５つの可変ピン６４のうち、図７のラインＬ2に対して、内側に位置している（内周シリンダ２２側に位置している）可変ピン６４だけが内周シリンダ２２とともに、回動し、図８に示す状態に移行する。
【００３９】
さらに、図８における、矢印１３２で示される方向にリセットボタン３１がバネ３５の付勢力によって戻されることで、ラインＬ2とドライバピン３４の上面とが一致しなくなるので、中間シリンダ２１と内周シリンダ２２とが固定される。
【００４０】
図９は、矢印１４１で示される方向に鍵Ｋ2が引き抜かれる、シリンダ錠１を表している。
【００４１】
図１０は、鍵Ｋ2が引き抜かれ、キーコードが変更されたシリンダ錠１を表している。
【００４２】
図１で示される、ドライバピン孔４１−１乃至４１−８のそれぞれにおける可変ピンの数と、図１０で示される、ドライバピン孔４１−１乃至４１−８のそれぞれにおける可変ピンの数とが異なり、シリンダ錠１のキーコードが変更されることになる。
【００４３】
以上にようにして、図１０に示されるように従来のシリンダ錠１のキーコードは変更されていた。
【００４４】
また、筒状に形成され内周面に傾斜面で接続する係合凹部が形成されるケースと、ケースに回動可能に挿入され、前面に開口する鍵孔と、鍵孔に交叉するタンブラ孔と、タンブラ孔の一方の内壁面を貫通するサイドバー収容孔と、タンブラ孔の他方の内壁面を貫通するレトラクタ収容孔と、後部に形成される小径部に設けられるリセットピン挿入孔とを有するプラグと、ケースと小径部との間に回動可能に挿入される筒部にリセットピン挿入孔と重なる切欠部が形成され、後端部に形成される軸部に施錠カムを有するジョイントカムと、リセットピン挿入孔に挿入され、ジョイントカムの切欠部に突出する方向に付勢され、外部から操作可能なリセットボタンに当接するリセットピンと、レトラクタ収容孔に挿入され、端部に形成された係合突起が係合凹部に係合するレトラクタと、サイドバー収容孔に挿入され、先端部が係合凹部に係合する方向にばねにより付勢されるサイドバーと、タンブラ孔に挿入され、一方にキーに係合するキー係合溝と、鋸歯状の噛合部が設けられ、他方の面がレトラクタに滑り接触する可変タンブラと、タンブラ孔に挿入され、一方にサイドバー係合溝が設けられ、他方に噛合部に係脱する被噛合部が設けられるタンブラプレートとにより構成されるシリンダ錠もある（例えば、特許文献１参照）。このシリンダ錠においては、キーコード変更時に、初期設定キーによりプラグのみを１８０度回動した際に、レトラクタの係合突起がケースの係合凹部に一致し、レトラクタはばねにより係合突起が係合凹部に係入する方向に移動する。
【特許文献１】特開平７−２６９１８９号公報
【発明の開示】
【発明が解決しようとする課題】
【００４５】
しかしながら、従来のキーコードの変更可能なシリンダ錠では、シリンダ錠を構成する構成部品の数が多く、そのためコストが高くなってしまう課題があった。
【００４６】
また、可変ピン（可変ピン６４、７４など）は、構成上大きさが小さいことから、ドライバピン孔（例えば、ドライバピン孔４１−１）に嵌ってしまい、不具合が起こってしまう可能性があった。
【００４７】
さらに、従来のシリンダ錠１では、ケース１０が径方向に突出するため、大型化してしまい、大きな取り付けスペースが必要になってしまう課題があった。
【００４８】
また、シリンダ錠を、従来の部品点数を減らす構成としても、広く流通しているシリンダ錠の鍵であって、一方の面の位置でキーコードが特定されるもの（例えば、すり鉢形状の溝（キーコード）が設けられている鍵）では、シリンダ錠を施錠若しくは開錠し、またはシリンダ錠のキーコードを変更することができないという課題があった。
【００４９】
本発明は、このような状況に鑑みてなされたものであり、構成部品数を少なくし、小型で安価な、キーコードの変更を可能にしたシリンダ錠であって、一方の面の位置でキーコードが特定される鍵を使用することができるシリンダ錠を提供することができるようにするものである。
【課題を解決するための手段】
【００５０】
本発明によるシリンダ錠は、シリンダに挿入された鍵のキーコードに対応する面に当接することによって、キーコードに応じて面の位置が変化する方向である第１の方向の位置が特定される第１のタンブラと、第１の方向の位置が第１のタンブラの第１の方向の位置に追従し、第１の方向および鍵の挿入の方向に直交する第２の方向の位置が第１の位置または第２の位置に移動可能に設けられた第２のタンブラと、第２のタンブラが第２の方向の第１の位置に移動している場合、第１の方向に並ぶ複数の位置決め部分のうちの、１つの位置決め部分と、第２のタンブラの一部とが接することによって、第２のタンブラを介して、第１のタンブラの第１の方向の動きが伝達されて、第１の方向の位置が特定され、第１の方向の位置によって、施錠するか、または開錠する動作を決定する第３のタンブラとを含み、さらに、第２のタンブラは、第２の方向の第２の位置に移動している場合、第３のタンブラの複数の位置決め部分から離れ、鍵が挿入されたとき、第１のタンブラに追従することにより、挿入されている鍵のキーコードに対応する面で定まる位置であって、複数の位置決め部分のうちの、１つの位置決め部分と接することができる位置に移動されることを特徴とする。
【００５１】
キーコードとは、タンブラの位置の組み合わせである。また、鍵は、いわゆる両面鍵であっても片面鍵であってもよい。
【００５２】
本発明のシリンダ錠においては、鍵のキーコードに応じて、第１のタンブラの第１の方向の位置が特定され、第２のタンブラが第１のタンブラの第１の方向の位置を追従することにより、第１の方向および鍵の挿入の方向に直交する第２の方向の位置が第１の位置にある場合、第２のタンブラが第２の方向の第１の位置に移動していることにより、第２のタンブラを介して、第３のタンブラに、第１のタンブラの第１の方向の動きが伝達され、第３のタンブラにより施錠するか、または開錠する動作が決定される。さらに、第２のタンブラが、第２の方向の第２の位置に移動することにより、第３のタンブラが複数の位置決め部分から離れ、鍵が挿入されたとき、第２のタンブラが第１のタンブラを追従することにより、第３のタンブラの複数の位置決め部分のうち１つの位置決め部分に接することができる位置に移動される。
【００５３】
したがって、シリンダ錠の構成部品を少なくすることができる。また、シリンダ錠を小型化することができる。さらに、シリンダ錠を低コストで形成することができる。
【００５４】
第２のタンブラを、シリンダの回動位置に応じて、第２の方向の第１の位置または第２の位置に移動させると共に、第１の方向に移動自在に保持するホルダをさらに含むようにすることができる。
【００５５】
ホルダによって、第２のタンブラが、シリンダの回動位置に応じて、第２の方向の第１の位置または第２の位置に移動させると共に、第１の方向に移動自在に保持される。
【００５６】
第１のタンブラを鍵のキーコードに対応する面に当接させるように、第１のタンブラに付勢するバネをさらに含むようにすることができる。
【００５７】
バネによって、第１のタンブラを鍵のキーコードに対応する面に当接されるように、第１のタンブラが付勢される。
【００５８】
内周面に凹部を有するケースと、ケースの凹部に対応する、シリンダの部位に回動自在に設けられ、シリンダに鍵が完全に挿入されていない場合、凹部に掛止し、シリンダに鍵が完全に挿入された場合、鍵の押圧による回動により、凹部との掛止が解除されるレバーとをさらに設けるようにすることができる。
【００５９】
内周面に凹部を有するケースと、ケースの凹部に対応する、シリンダの部位に回動自在に設けられるレバーによって、シリンダに鍵が完全に挿入されていない場合、凹部に掛止され、シリンダに鍵が完全に挿入された場合、鍵の押圧による回動により、凹部との掛止が解除される。
【００６０】
したがって、鍵がシリンダに完全に挿入されないことによって誤ったキーコードが設定されることを防ぐことができる。
【発明の効果】
【００６１】
本発明によれば、施錠することができる。特に、低コストで、一方の面の位置でキーコードが特定される鍵を使用可能な、キーコードを変更できる小型のシリンダ錠を提供することができる。
【発明を実施するための最良の形態】
【００６２】
以下に、本発明の実施の形態について図面を参照して説明する。
【００６３】
図１１および図１２は、本発明を適用したシリンダ錠１９１の外観の例を示している。図１１は、シリンダ錠１９１の前端部側の外観の斜視図である。図１２は、シリンダ錠１９１の後端部側の外観の斜視図である。
【００６４】
シリンダ錠１９１の、外周シリンダ２０１の内側には、正規の鍵が挿入された場合に、鍵と共に回動する内周シリンダ２０３が設けられている。内周シリンダ２０３が外周シリンダ２０１に配置された状態において、内周シリンダ２０３に設けられた、鍵が挿入される鍵穴２０３ａは、外周シリンダ２０１から外部に露出する。
【００６５】
また、外周シリンダ２０１の後部には、シリンダ錠１９１を固定するための取り付けフランジ２０１aが設けられている。取り付けフランジ２０１ａの上側および下側にそれぞれ、取り付け用のネジなどを貫通させる取り付け用孔２０２−１および２０２−２が設けられている。
【００６６】
外周シリンダ２０１の背面には、背面カバー２１３が嵌着されている。リセットボタン２１１を押圧できるように、外周シリンダ２０１の背面からリセットボタン２１１、およびジョイントカム２１２の一部が露出するように、リセットボタン２１１、およびジョイントカム２１２が設けられている。ジョイントカム２１２は、背面カバー２１３のジョイントカム用孔２１３ａを貫通している。また、ジョイントカム２１２には、図示せぬ施錠カムが取り付けられる軸部２１２ａ、および図２４を参照して後述する凸部２１２ｂが設けられている。すなわち、外周シリンダ２０１は、内周シリンダ２０３、および各構成部品を保持するケースである。
【００６７】
次に、図１３乃至図１６を参照して、シリンダ錠１９１の構造を説明する。図１３は、シリンダ錠１９１の構成を示す斜視図である。図１４は、シリンダ錠１９１の縦断面図である。図１５は、図１４のＡ−Ａ線におけるシリンダ錠１９１の縦断面図である。図１６は、図１４のＢ−Ｂ線におけるシリンダ錠１９１の横断面図である。
【００６８】
タンブラ２３１−１乃至２３１−８のそれぞれは、その内周シリンダ２０３に対する位置によって、内周シリンダ２０３の回動を可能にするか、または回動を抑制するように動作する。タンブラ２３１−１乃至２３１−８のそれぞれには、凹部２３１−１ａ乃至２３１−８ａのそれぞれ、および噛合部２３１−１ｂ乃至２３１−８ｂのそれぞれが設けられている。
【００６９】
タンブラ２３１−１乃至２３１−８の噛合部２３１−１ｂ乃至２３１−８ｂのそれぞれには、可変タンブラ２３４−１乃至２３４−８のそれぞれの尖端部が、噛合される。これによって、図１５中の上下方向の、タンブラ２３１−１乃至２３１−８のそれぞれの位置に対する、可変タンブラ２３４−１乃至２３４−８のそれぞれの位置が決まる。
【００７０】
可変タンブラ２３４−１乃至２３４−８のそれぞれは、可変タンブラ２３３−１乃至２３３−８のそれぞれのほぼ中央に設けられた孔を貫通する。
【００７１】
タンブラ２３１−１乃至２３１−８の噛合部２３１−１ｂ乃至２３１−８ｂのそれぞれと、可変タンブラ２３４−１乃至２３４−８のそれぞれの尖端部とが噛合している場合、可変タンブラ２３３−１乃至２３３−８の位置によって、タンブラ２３１−１乃至２３１−８の位置が決まる。
【００７２】
可変タンブラ２３３−１乃至２３３−８のそれぞれは、いわゆる、ピンタンブラであり、挿入された鍵の位置決め面のそれぞれに当接する。すなわち、内周シリンダ２０３に対する、可変タンブラ２３３−１乃至２３３−８のそれぞれの位置は、挿入された鍵によって決まる。
【００７３】
従って、タンブラ２３１−１乃至２３１−８の噛合部２３１−１ｂ乃至２３１−８ｂのそれぞれと、可変タンブラ２３４−１乃至２３４−８のそれぞれの尖端部とが噛合している場合、タンブラ２３１−１乃至２３１−８のそれぞれの位置は、可変タンブラ２３３−１乃至２３３−８の位置、すなわち、挿入された鍵によって決まることになる。
【００７４】
可変タンブラ用バネ２３２−１乃至２３２−８のそれぞれは、一方の端部が可変タンブラ２３３−１乃至２３３−８に当接し、他方の端部がバネカバー２３５に当接するように設けられ、可変タンブラ２３３−１乃至２３３−８をシリンダ錠１９１に挿入された鍵の位置決め面に当接するように、付勢する。図１４で示されるように、可変タンブラ２３３−１乃至２３３−８および可変タンブラ用バネ２３２−１乃至２３２−８は、それぞれ、内周シリンダ２０３のタンブラ用孔２８１ａ乃至２８１ｈのそれぞれに挿入される。
【００７５】
バネカバー２３５の孔２３５ａは、内周シリンダ２０３の凸部２９１ａに嵌合され、バネカバー２３５の孔２３５ｂは、内周シリンダ２０３の凸部２９１ｂに嵌合されることにより、バネカバー２３５は、内周シリンダ２０３に固定される（図１４）。
【００７６】
また、可変タンブラ２３４−１乃至２３４−８のそれぞれの尖端部とは逆側の端部（後部）には、凸部が設けられ、凸部を含む後部は、ホルダ２６１の規制突起用溝２６１ａ乃至２６１ｈのそれぞれに挿入される。
【００７７】
図１５で示されるように、可変タンブラ２３４−１乃至２３４−８のそれぞれの後端が、ホルダ２６１の規制突起用溝２６１ａ乃至２６１ｈのそれぞれに沿って、図中の上下方向に移動でき、図中の左右方向に移動しないように、ホルダ２６１は、可変タンブラ２３４−１乃至２３４−８を保持する。
【００７８】
また、図１６に示されるように、ホルダ用バネ２６２−１および２６２−２のそれぞれは、内周シリンダ２０３の孔２７１ａおよび２７１ｂのそれぞれに配置され、ホルダ２６１を、外周シリンダ２０１の内面に押圧する。
【００７９】
ホルダ２６１の外周シリンダ２０１の内面に接する側には、傾斜面を有する凸部２６１ｊが設けられている。
【００８０】
一方、サイドバー２５１は、サイドバー用バネ２５２−１および２５２−２によって、外周シリンダ２０１の内面に押圧される。サイドバー２５１は、外周シリンダ２０１の凹部２０１ｄと噛み合うか、またはその噛み合いが外れることにより、外周シリンダ２０１に対する内周シリンダ２０３の回動を規制する。
【００８１】
より詳細には、サイドバー２５１には、凸部２５１ａおよび傾斜面を有する凸部２５１ｂ（以下、単に凸部２５１ｂと称する）が設けられている。図１６で示されるように、凸部２５１ａの両端にある２つの凸部に、サイドバー用バネ２５２−１および２５２−２の一方の端部が嵌められ、サイドバー用バネ２５２−１および２５２−２の他の端部が、内周シリンダ２０３に当接する。
【００８２】
図１５で示されるように、シリンダ錠１９１が施錠されている状態において、外周シリンダ２０１の傾斜面を有する凹部２０１ｄ（以下、単に凹部２０１ｄと称する）とサイドバー２５１の凸部２５１ｂとが嵌合すると共に、サイドバー２５１の凸部２５１ａは、サイドバー用孔２７４を貫通し（図１５左側）、タンブラ２３１−１乃至２３１−８いずれかの、凹部２３１−１ａ乃至２３１−８ａの以外の側面（図１５中の左側の側面）に当接する。
【００８３】
なお、サイドバー２５１の凸部２５１ｂの傾斜面と、外周シリンダ２０１の凹部２０１ｄの傾斜面とは、施錠されている状態においては嵌合し、後述する開錠される場合においては、嵌合が解除されるように、対応する形状とされている。
【００８４】
また、ホルダ２６１の凸部２６１ｊの傾斜面は、サイドバー２５１の凸部２５１ｂの傾斜面と同様に、外周シリンダ２０１の凹部２０１ｄの傾斜面に対応する形状とされている。
【００８５】
すなわち、図１５で示されるように、シリンダ錠１９１が施錠されている状態において、サイドバー２５１がタンブラ２３１−１乃至２３１−８のいずれかの側面に当接するので、サイドバー２５１は、図中の右側に移動することができず、その結果、外周シリンダ２０１の凹部２０１ｄとサイドバー２５１の凸部２５１ｂとの嵌合が外れることがないので、内周シリンダ２０３は、外周シリンダ２０１に対して、回動することができない。
【００８６】
これに対して、鍵が挿入されると、可変タンブラ２３３−１乃至２３３−８が図１５中の上下方向に移動する。可変タンブラ２３３−１乃至２３３−８のそれぞれに、可変タンブラ２３４−１乃至２３４−８のそれぞれが貫通し、可変タンブラ２３４−１乃至２３４−８の尖端部のそれぞれが、タンブラ２３１−１乃至２３１−８の噛合部２３１−１ｂ乃至２３１−８ｂのそれぞれと噛合しているので、可変タンブラ２３３−１乃至２３３−８が図１５中の上下方向の移動に対応して、タンブラ２３１−１乃至２３１−８が図１５中の上下方向に移動する。
【００８７】
正規の鍵が挿入された場合、サイドバー２５１の凸部２５１ａの位置と、タンブラ２３１−１乃至２３１−８の凹部２３１−１ａ乃至２３１−８ａの全ての位置とが一致する。
【００８８】
これにより、サイドバー２５１は、図中の右側に移動することができるようになり、正規の鍵によって、内周シリンダ２０３の回動が開始されると、外周シリンダ２０１の凹部２０１ｄに沿ってサイドバー２５１が内周シリンダ２０３側に移動し、外周シリンダ２０１の凹部２０１ｄと、内周シリンダ２０３側の凸部２５１ｂとの嵌合が外れ、内周シリンダ２０３は、外周シリンダ２０１に対して、回動することができるようになる。
【００８９】
なお、図１３において、タンブラ２３１−３乃至２３１−６、凹部２３１−３ａ乃至２３１−６ａ、噛合部２３１−３ｂ乃至２３１−７ｂ、可変タンブラ用バネ２３２−４乃至２３２−６、可変タンブラ２３３−３乃至２３３−６、可変タンブラ２３４−３乃至２３４−６、およびタンブラ用孔２８１ｃ乃至２８１ｆの符号は省略している。
【００９０】
図１４で示されるように、リセットボタン２１１は、図中の上下方向に移動可能に設けられている。リセットボタン２１１の凸部２１１ａは、リセットピン２４１の一端に当接する。リセットピン２４１の他の一端に当接するジョイントブロック２４２、およびジョイントブロック２４２に当接するリセット用バネ２４３は、内周シリンダ２０３の孔２８１ｊに配置される。リセット用バネ２４３は、ジョイントブロック２４２、リセットピン２４１、およびリセットボタン２１１を図中の上側に付勢する。
【００９１】
リセットボタン２１１が図中の下方向に押圧されていない状態においては、図１３で示されるように、ジョイントブロック２４２が、内周シリンダ２０３の孔２８１ｊに挿入され、嵌合されると共に、ジョイントブロック２４２の凸部２４２ａは、ジョイントカム２１２の凹部２１２ｃと嵌合する。従って、リセットボタン２１１が図中の下方向に押圧されていない状態においては、内周シリンダ２０３にジョイントカム２１２が固定される。
【００９２】
一方、リセットボタン２１１が図中の下方向に押圧された場合、ジョイントブロック２４２が、図１４中の下方向に移動し、リセットピン２４１がジョイントカム２１２に嵌合すると共に、ジョイントブロック２４２の上側の面と、ジョイントカム２１２の内周の面とが一致することにより、外周シリンダ２０１に対して、内周シリンダ２０３は回動自在となると共に、ジョイントカム２１２は、外周シリンダ２０１に固定される。
【００９３】
完全挿入確認レバー３１２は、レバー用ピン３１３によって、内周シリンダ２０３に回動自在に装着される。図１４で示されるように、レバー用バネ３１１は、完全挿入確認レバー３１２が外周シリンダ２０１の溝２０１ｂに嵌るように、所定の回動方向に付勢する。
【００９４】
完全挿入確認レバー３１２の詳細は図１９を参照して後述する。
【００９５】
以上のように、正規の鍵が挿入された場合、ジョイントカム２１２と共に内周シリンダ２０３の回動が可能となり、正規の鍵が挿入されていない場合、内周シリンダ２０３の回動ができないように、シリンダ錠１９１は、構成されている。
【００９６】
また、正規の鍵が挿入され、リセットボタン２１１が押圧された場合、ジョイントカム２１２が外周シリンダ２０１に対して固定されたままで、内周シリンダ２０３の回動が可能になる。
【００９７】
次に図１７を参照して、シリンダ錠１９１に挿入される鍵Ｋ3の例を説明する。図１７は、鍵Ｋ3の外観の例を示す斜視図である。鍵Ｋ3は、ユーザが鍵Ｋ3を回動させる場合に、保持する保持部４１１、およびシリンダ錠１９１に挿入する挿入部４１２により構成されている。挿入部４１２には、３段階の深さ（高さ）を有するすり鉢形状の孔として位置決め面４２１乃至４２８が設けられている。
【００９８】
なお、位置決め面４２１乃至４２８は、シリンダ錠１９１に挿入された場合、内周シリンダ２０３に対する、可変タンブラ２３３−１乃至２３３−８のそれぞれの位置を決めることができれば足り、すり鉢形状に限られない。
【００９９】
図１８乃至図２０を参照して、正規の鍵Ｋ3が挿入されたシリンダ錠１９１について説明する。図１８は、鍵Ｋ3が挿入されたシリンダ錠１９１の縦断面図である。図１９は、鍵Ｋ3の挿入の際における完全挿入確認レバー３１２を説明する図である。図２０の図２０Ａ、図２０Ｂ、および図２０Ｃのそれぞれは、図１８のＣ−Ｃ線、Ｄ−Ｄ線、およびＥ−Ｅ線におけるシリンダ錠１９１の縦断面図である。
【０１００】
図１８で示されるように、シリンダ錠１９１に鍵Ｋ3が挿入されると、可変タンブラ２３３−１乃至２３３−８のそれぞれは、位置決め面４２１乃至４２８のそれぞれに当接することによって、可変タンブラ２３３−１乃至２３３−８は、３段階の位置（高さ（図１８中の縦方向））のうちの１つの位置に移動する。
【０１０１】
また、上述したように、内周シリンダ２０３の孔３１４（図１９）に、レバー用ピン３１３を介して完全挿入確認用レバー３１２が回動自在に装着されている。完全挿入確認用レバー３１２は、レバー用バネ３１１によって、外周シリンダ２０１の溝２０１ｂに嵌るように、所定の回動方向に付勢されている。
【０１０２】
従って、正規の鍵Ｋ3が内周シリンダ２０３に、中途半端に挿入された場合、図１９Ａで示されるように、完全挿入確認用レバー３１２の凸部３１２ｂは、外周シリンダ２０１の溝２０１ｂに掛止されたままとなるので、内周シリンダ２０３は、外周シリンダ２０１に対して回動不能となる。
【０１０３】
これによって、いずれかの可変タンブラ２３３−１乃至２３３−８が、鍵Ｋ3の位置決め面４２１乃至４２８のいずれかに当接しない状態で、内周シリンダ２０３が回動されてしまうことを防止することができる。
【０１０４】
また、ピッキングなどにより、可変タンブラ２３３−１乃至２３３−８を開錠可能な位置（高さ）に合わせることが出来たとしても、完全挿入確認用レバー３１２の凸部３１２ｂが外周シリンダ２０１の溝２０１ｂに掛止されていることで内周シリンダ２０３の回動、および開錠を防ぐことができる。
【０１０５】
一方、図１９Ｂで示されるように、鍵Ｋ3が完全に挿入された場合、すなわち、全ての可変タンブラ２３３−１乃至２３３−８が、鍵Ｋ3の位置決め面４２１乃至４２８のいずれかに当接するように鍵Ｋ3が挿入された場合、鍵Ｋ3の挿入部４１２のテーパ面４１２ａが、完全挿入確認用レバー３１２のテーパ面３１２ａに当接するので、完全挿入確認用レバー３１２は、レバー用ピン３１３を軸に時計方向に回動する。すなわち、完全挿入確認用レバー３１２は、鍵Ｋ3と可変タンブラ２３３−１乃至２３３−８とからなる平面（図１８のような断面）に対して、垂直の軸であるレバー用ピン３１３を中心に回動する。内周シリンダ２０３は、外周シリンダ２０１に対して回動可能とされるとも言える。これによって、鍵Ｋ3が完全に挿入された場合、凸部３１２ｂは、内周シリンダ２０３の孔３１４に格納され、溝２０１ｂとの掛止が解除される。
【０１０６】
重複して説明するが、完全挿入確認レバー３１２は、外周シリンダ２０１の溝２０１ｂに対応する、内周シリンダ２０３の孔３１４に回動自在に設けられ、内周シリンダ２０３に鍵Ｋ3が完全に挿入されていない場合、溝２０１ｂに掛止され、内周シリンダ２０３に鍵Ｋ3が完全に挿入された場合、鍵Ｋ3の押圧による回動により、溝２０１ｂとの掛止が解除される。
【０１０７】
さらに、詳細に説明すれば、完全挿入確認レバー３１２は、内周シリンダ２０３に鍵Ｋ3が完全に挿入された場合、鍵Ｋ3の先端のテーパ面４１２ａによって、内周シリンダ２０３に回動自在に固定される軸であるレバー用ピン３１３を基準とした一方の部位（テーパ面３１２ａ）が押圧されると、レバー用ピン３１３を中心に回動して、レバー用ピン３１３を基準とした他方の部位（凸部３１２ｂ）と溝２０１ｂとの掛止が解除される。
【０１０８】
以上のように、完全挿入確認用レバー３１２によって、鍵Ｋ3が完全に挿入された場合にのみ、内周シリンダ２０３は、外周シリンダ２０１に対して回動可能となる。また、シリンダ錠１９１においては、ピッキングによる不正開錠が防止され、セキュリティ性を向上することが可能となる。
【０１０９】
図２０Ａで示されるように、可変タンブラ２３３−２が鍵Ｋ3の挿入部４１２の位置決め面４２２に当接されることで、可変タンブラ２３３−２と共に、可変タンブラ２３４−２と噛合しているタンブラ２３１−２も位置決めされる。すなわち、可変タンブラ２３３−２は、鍵Ｋ3に応じて位置決め面４２２の位置が変化する方向である図２０の上下方向の位置が特定されるように設けられている。また、可変タンブラ２３４−２は、可変タンブラ２３３−２の上下方向の位置を追従し、図２０の上下方向および鍵Ｋ3の挿入の方向に直交する方向の位置として図２０の左方向の位置または図２０の右方向の位置に移動可能に設けられている。
【０１１０】
また、タンブラ２３１−２は、可変タンブラ２３４−２が上述した図２０の左方向の位置に移動している場合、図２０の上下方向に並ぶ３つの噛合溝（例えば、図３４を参照して後述する噛合溝５８３ａ乃至５８３ｃ）を有する噛合部２３１−２ｂと、可変タンブラ２３４−２の尖端部とが接する（噛合する）ことによって、可変タンブラ２３４−２を介して、可変タンブラ２３３−２の図２０の上下方向の動きが伝達され、図２０の上下方向の位置が特定され、図２０の上下方向の位置によって、施錠するか、または開錠する動作を決定する。
【０１１１】
可変タンブラ２３３−２は、鍵Ｋ3の挿入部４１２の最も低い位置決め面４２２に当接するが、タンブラ２３１−２は、噛合部２３１−２ｂのうち、最も低い位置に噛合しているので、タンブラ２３１−２は、位置決め面４２２に対してより高い位置に配置される。
【０１１２】
その結果、凹部２３１−２ａの図中の上下方向の位置がサイドバー２５１の凸部２５１ａの図中の上下方向の位置に一致する。
【０１１３】
また、図２０Ｂで示されるように、可変タンブラ２３３−４が鍵Ｋ3の挿入部４１２の位置決め面４２４に当接して、図中の上方向に移動されることで、可変タンブラ２３３−４と共に、可変タンブラ２３４−４と噛合しているタンブラ２３１−４も上方向に移動される。
【０１１４】
可変タンブラ２３３−４は、鍵Ｋ3の挿入部４１２の中間の高さの位置決め面４２４に当接するが、タンブラ２３１−４は、噛合部２３１−４ｂのうち、中間の高さに噛合しているので、タンブラ２３１−４は、位置決め面４２４に対して中間の高さの位置に配置される。
【０１１５】
その結果、凹部２３１−４ａの図中の上下方向の位置がサイドバー２５１の凸部２５１ａの図中の上下方向の位置に一致する。
【０１１６】
さらに、図２０Ｃで示されるように、可変タンブラ２３３−６が鍵Ｋ3の挿入部４１２の位置決め面４２６に当接して、図中の上方向に移動されることで、可変タンブラ２３３−６と共に、可変タンブラ２３４−６と噛合しているタンブラ２３１−６も上方向に移動される。
【０１１７】
可変タンブラ２３３−６は、鍵Ｋ3の挿入部４１２の最も高い位置決め面４２６に当接するが、タンブラ２３１−６は、噛合部２３１−６ｂのうち、最も高い位置に噛合しているので、タンブラ２３１−６は、位置決め面４２６に対してより低い位置に配置される。
【０１１８】
その結果、凹部２３１−６ａの図中の上下方向の位置がサイドバー２５１の凸部２５１ａの図中の上下方向の位置に一致する。
【０１１９】
以上、タンブラ２３１−２，２３１−４および２３１−６について説明したが、タンブラ２３１−１，２３１−３，２３１−５，２３１−７、および２３１−８も同様に、その凹部２３１−１ａ，２３１−３ａ，２３１−５ａ，２３１−７ａ、および２３１−８ａの位置がサイドバー２５１の凸部２５１ａの位置に一致する。従って、サイドバー２５１の凸部２５１ａは、図２２を参照して後述するように、内周シリンダ２０３の回動の際には、タンブラ２３１−１乃至２３１−８の凹部２３１−１ａ乃至２３１−８ａに挿入されることになる。
【０１２０】
次に、図２１乃至図２４を参照してシリンダ錠１９１の開錠の詳細について説明する。図２１は、施錠されている場合の図１４のＡ−Ａ線におけるシリンダ錠１９１の縦断面図である。図２２および図２３は、開錠を説明する図１８のＤ−Ｄ線におけるシリンダ錠１９１の縦断面図である。図２４は、ジョイントカム２１２を説明する図である。
【０１２１】
鍵Ｋ3が挿入されていない場合、図２１で示されるように、例えば、サイドバー２５１の凸部２５１ａとタンブラ２３１−４の凹部２３１−４ａの高さが一致しない。このため、例えば、矢印４５２の方向に内周シリンダ２０３を回動させようとしても、サイドバー２５１の凸部２５１ａとタンブラ２３１−４の側面が当接し、矢印４５１の方向にサイドバー２５１は移動することができない。従って、外周シリンダ２０１の凹部２０１ｄとサイドバー２５１の凸部２５１ｂとの嵌合が外れることがないため内周シリンダ２０３は外周シリンダ２０１に対して回動することができないことになる。
【０１２２】
また、正規の鍵Ｋ3とは異なる鍵がシリンダ錠１９１に挿入された場合も同様に、少なくともタンブラ２３１−１乃至タンブラ２３１−８の凹部２３１−１ａ乃至２３１−８ａいずれか１つの位置が凸部２５１ａの位置に移動されず、サイドバー２５１は矢印４５１の方向に移動することは不可能となり、正規の鍵Ｋ3とは異なる鍵では、シリンダ錠１９１は開錠されない。
【０１２３】
これに対し、正規の鍵Ｋ3が挿入された場合、サイドバー２５１の凸部２５１ａとタンブラ２３１−１の凹部２３１−１ａ乃至タンブラ２３１−８の凹部２３１−８ａの全ての位置（高さ）が一致するため、例えば、図２２で示されるようにサイドバー２５１ａとタンブラ２３１−４の凹部２３１−４ａの高さが一致するため、ユーザが鍵Ｋ3を矢印４６２の方向に回動させることで、サイドバー２５１は、矢印４６１の方向に移動し、その凸部２５１ａがタンブラ２３１−４の凹部２３１−４aに挿入される（凸部２５１ａが全てのタンブラの凹部２３１−１a乃至２３１−８aに挿入される）。
【０１２４】
すなわち、図２３で示されるように、さらに矢印４７１の方向（矢印４６２と同一方向）に鍵Ｋ3が回動されることで、外周シリンダ２０１の凹部２０１dとサイドバー２５１の凸部２５１ｂとの嵌合が解除されることになる（内周シリンダ２０３が外周シリンダ２０１に対して回動する）。また、図２２、図２３では内周シリンダ２０３は矢印４６２方向（または矢印４７１方向）に、すなわち図上では、時計回りに回動されているが、反時計回り（矢印４６２方向（または矢印４７１方向）とは逆方向）にも回動可能である。
【０１２５】
内周シリンダ２０３が回動することで、ジョイントブロック２４２を介し、内周シリンダ２０３と固定されているジョイントカム２１２、軸２１２ａ、および凸部２１２ｂが回動する。すなわち、図２４で示されるように、凸部２１２ｂも時計回り、および反時計回りに回動する。ただし、背面カバー２１３のジョイントカム用孔２１３ａに設けられている凸部２１３ｂ，２１３ｃは、ジョイントカム２１２の凸部２１２ｂに対して、ストッパーの役割を果たすため、ジョイントカム２１２の回動が制限される。凸部２１２ｂは、凸部２１３ｂまたは２１３ｃに当接するまで、回動することができる。すなわち、例えば、時計回りの方向、または反時計回りの方向に１２０°まで回動可能にされる。
【０１２６】
次に、図２５乃至図３１を参照してシリンダ錠１９１のリセット状態への移行について説明する。図２５は、リセットボタン２１１を説明する図である。図２６および図２７は、リセット状態への移行を説明する図１８のＤ−Ｄ線におけるシリンダ錠１９１の縦断面図である。図２８は、図２７の領域５０１の拡大図である。図２９は、図２７の領域５０２の拡大図である。図３０は、リセット状態のシリンダ錠１９１の縦断面図である。図３１は、図３０のＦ−Ｆ線におけるシリンダ錠１９１の縦断面図である。
【０１２７】
図２５Ａで示されるように、リセットボタン２１１は、凸部２１１ａでリセットピン２４１と当接する。リセットピン２４１の他の一端に当接するジョイントブロック２４２、およびジョイントブロック２４２に当接するリセット用バネ２４３は、内周シリンダ２０３に配置される。また、このとき、図１３を参照して上述したように、ジョイントカム２１２はジョイントブロック２４２を介し内周シリンダ２０３に固定されている。
【０１２８】
図２５Ｂで示されるように、ユーザにより矢印４８１の方向にリセットボタン２１１が押圧されると、凸部２１１ａと当接しているリセットピン２４１が図２５の下方向に移動されると共に、リセットピン２４１に当接されているジョイントブロック２４２も図２５の下方向に移動される。したがって、ジョイントブロック２４２を介して固定されていた内周シリンダ２０３とジョイントカム２１２の固定が解除される。すなわちジョイントブロック２４２の上側の面と、ジョイントカム２１２の内周の面とが一致することにより、ジョイントブロック２４２の凸部２４２a（図１３参照）とジョイントカム２１２の凹部２１２cとの嵌合が解除される。
【０１２９】
内周シリンダ２０３とジョイントカム２１２との固定が解除されたことで、外周シリンダ２０１の内周面に沿って、内周シリンダ２０３だけが回動可能となる。
【０１３０】
図２６で示されるように、内周シリンダ２０３とジョイントカム２１２との固定が解除されたため、正規の鍵Ｋ3が回動されることで、内周シリンダ２０３だけが矢印４８１の方向に回動する。図２６および図２７は、内周シリンダ２０３を１８０°回動させたシリンダ錠１９１を示す。
【０１３１】
図２７の矢印４９１は、内周シリンダ２０３を１８０°回動させたことを示している。
【０１３２】
図２７および図２８で示されるように、内周シリンダ２０３を１８０°回動させたことで、ホルダ２６１は、ホルダ用バネ２６２−１および２６２−２（図１３および図１６参照）の付勢力によって、外周シリンダ２０１の凹部２０１dに嵌るように図中の左側に移動する。その結果、傾斜面を有する凸部２６１ｊ（以下、単に凸部２６１ｊと称する）が凹部２０１ｄに嵌る。
【０１３３】
ホルダ２６１が図中の左側にズレ幅５１１の長さだけ移動するので、ホルダ２６１の規制突起用溝２６１ｄに挿入されている可変タンブラ２３４−４は、ホルダ２６１と共に、矢印４９２の方向に移動する。
【０１３４】
なお、サイドバー２５１の凸部２５１ａが、タンブラ２３１−１の凹部２３１−１ａ乃至タンブラ２３１−８の凹部２３１−８ａに挿入されているので、サイドバー２５１に対するタンブラ２３１−１乃至２３１−８の位置が保持される。
【０１３５】
従って、図２９で示されるように、可変タンブラ２３４−１乃至２３４−８の尖端部は、ズレ幅５１２（＝ズレ幅５１１）の長さだけ矢印５１３の方向に移動し、可変タンブラ２３４−１乃至２３４−８の尖端部のそれぞれと、タンブラ２３１−１の噛合部２３１−１ｂ乃至タンブラ２３１−８の噛合部２３１−８ｂのそれぞれとの噛合が解除される。
【０１３６】
その後、シリンダ錠１９１から鍵Ｋ3を引き抜くことにより、図３０で示されるようにキーコードはリセット状態になる。このリセット状態では、可変タンブラ２３３−１乃至２３３−８は同一の高さに揃っている。すなわち、例えば、図３１で示されるように、可変タンブラ２３４−２は、タンブラ２３１−２の噛合部２３１−２ｂから解除され、可変タンブラ２３３−２が可変タンブラ用バネ２３２−２によって図３１の上方向に付勢される。同様に、可変タンブラ２３３−１乃至２３３−８のそれぞれも、可変タンブラ用バネ２３２−１乃至２３２−８のそれぞれによって、図３０の上方向に付勢され、可変タンブラ２３４−１乃至２３４−８のそれぞれが内周シリンダ２０３に当接する、同一の高さで揃うこととなる。また、このとき可変タンブラ２３３−２に挿入されている可変タンブラ２３４−２も、図３１の上方向に付勢される。他の可変タンブラ２３３−１,２３３−３乃至２３３−８も同様である。
【０１３７】
また、このとき完全挿入確認レバー３１２の凸部３１２ｂは、外周シリンダ２０１の溝２０１cに掛止される（図３０）。
【０１３８】
次に、図３２乃至図３７を参照してシリンダ錠１９１のキーコード変更について説明する。図３２は、図３０で示される状態のシリンダ錠１９１に、新しいキーコードを設定するために鍵Ｋ3と異なる鍵Ｋ4を挿入したシリンダ錠１９１の縦断面図である。図３３Ａ、図３３Ｂ、および図３３Ｃは、それぞれ、図３２のＧ−Ｇ線、Ｈ−Ｈ線、およびＪ−Ｊ線の縦断面図である。図３４は、図３３Ｂの領域５７１の拡大図である。図３５は、キーコード変更時の内周シリンダ２０３の状態を説明するための図３２のＨ−Ｈ線の縦断面図である。図３６は、図３５の領域６０１の拡大図である。図３７は、図３５の領域６０２の拡大図である。
【０１３９】
図３２で示されるように、シリンダ錠１９１に鍵Ｋ3とは異なる鍵Ｋ4の挿入部５４１が挿入されている。図３０で示したように完全挿入確認レバー３１２の凸部３１２ｂが外周シリンダ２０１の溝２０１ｃに掛止されることで、図１９を参照して説明したように、鍵が完全に内周シリンダ２０３の内部に挿入されていない場合は、内周シリンダ２０３は外周シリンダ２０１に対して回動不能とされる。
【０１４０】
従って、鍵Ｋ4がシリンダ錠１９１に中途まで挿入された状態（完全に挿入されていない状態）で回動されることによって、誤ったキーコードが設定されることを防ぐことができる。例えば、鍵Ｋ4の挿入部５４１の位置決め面５５８が可変タンブラ２３３−７の位置まで挿入された状態で内周シリンダ２０３を回動することを防ぐことができる。
【０１４１】
可変タンブラ２３３−１乃至２３３−８のそれぞれは、鍵Ｋ4の挿入部５４１の孔である位置決め面５５１乃至５５８のそれぞれに当接し、位置決め面５５１乃至５５８のそれぞれによって、図３０で示した位置から図３０の下方向に押圧される。
【０１４２】
図３３Ａで示されるように、可変タンブラ２３３−２は、挿入部５４１の位置決め面５５２によって、図３３の下方向に押圧され、可変タンブラ２３３−２と共に、可変タンブラ２３４−２が図３３の下方向に移動する。
【０１４３】
図３３Ｂで示されるように、可変タンブラ２３３−４は、挿入部５４１の位置決め面５５４によって、図３３の下方向に押圧され、可変タンブラ２３３−４と共に可変タンブラ２３４−４も移動する。すなわち、図３４で示されるように、最初の設定（図１５で示される設定）では、場所５８１に位置し、３つの噛合溝５８３ａ乃至５８３ｃの内、噛合溝５８３ｂに噛合していた可変タンブラ２３４−４は、鍵Ｋ4の位置決め面５５４によって、矢印５８２の方向に移動し、タンブラ２３１−４の噛合部２３１−４ｂの噛合溝５８３ｃに噛合する位置に移動することになる。
【０１４４】
図３３Ｃで示されるように、可変タンブラ２３３−６も、挿入部５４１の位置決め面５５６によって、図３３の下方向に押圧され、可変タンブラ２３３−６と共に可変タンブラ２３４−６が移動する。
【０１４５】
以上、可変タンブラ２３３−２，２３３−４および２３３−６について説明したが、可変タンブラ２３３−１，２３３−３，２３３−５，２３３−７、および２３３−８も同様に、鍵Ｋ4によって可変タンブラ２３４−１,２３４−３，２３４−５，２３４−７、および２３４−８が移動される。
【０１４６】
このとき、サイドバー２５１の凸部２５１ａが、タンブラ２３１−１の凹部２３１−１ａ乃至タンブラ２３１−８の凹部２３１−８ａに挿入されているので、サイドバー２５１に対するタンブラ２３１−１乃至２３１−８の位置が保持され、変化しない。すなわち、内周シリンダ２０３に対するタンブラ２３１−１乃至２３１−８の位置は変化しない。
【０１４７】
図３５で示されるように、その後、矢印６０３の方向にさらに鍵Ｋ4を回動させることで、内周シリンダ２０３が回動し、図３６で示されるように外周シリンダ２０１の凹部２０１ｄとホルダ２６１の凸部２６１ｊとの嵌合が解除される。外周シリンダ２０１の内周面とホルダ２６１との当接によって、ホルダ２６１が矢印６１１の方向に移動する（図２８のズレ幅５１１の長さだけ移動する）。これと同時に、図３７で示されるように矢印６２１の方向（矢印６１１と同方向）に可変タンブラ２３４−１乃至可変タンブラ２３４−８が移動し（図２９のズレ幅５１２の長さだけ移動する）、可変タンブラ２３４−１乃至可変タンブラ２３４−８のそれぞれは、噛合部２３１−１ｂ乃至噛合部２３１−８ｂの噛合溝（噛合溝５８３ａ乃至５８３ｃのいずれか）のそれぞれに噛合する。
【０１４８】
すなわち、図２７において、可変タンブラ２３４−４は、図２７の右方向に移動している場合、タンブラ２３１−４の噛合部２３１−４ｂから離れ、図３５において、鍵Ｋ4が挿入されたとき、可変タンブラ２３３−４に追従することにより、挿入されている鍵Ｋ4のキーコードに対応する位置決め面５５４で定まる位置であって、タンブラ２３１−４の噛合部２３１−４ｂのうちの、１つの噛合溝と接することができる位置に移動する。
【０１４９】
これにより、シリンダ錠１９１のキーコードが、鍵Ｋ4に対応した新しいキーコードに変更される。
【０１５０】
すなわち、シリンダ錠１９１のキーコードが、鍵Ｋ4に対応した新しいキーコードに設定される。
【０１５１】
その後、リセット用バネ２４３の付勢力によってリセットボタン２１１が図３２の上方向に戻り、内周シリンダ２０３とジョイントカム２１２がジョイントブロック２４２を介して固定される。
【０１５２】
以上のように、可変タンブラ２３４−１乃至２３４−８の尖端部は、タンブラ２３１−１乃至２３１−８のそれぞれの噛合部２３１−１ｂ乃至２３１−８ｂのそれぞれの３つの噛合溝（噛合溝５８３ａ乃至５８３ｃ）のうちのいずれか１つの噛合溝（例えば、噛合溝５８３ｃなど）に噛合させることができるので、シリンダ錠１９１のキーコードの種類は３8種類＝６５６１種類である。
【０１５３】
なお、可変タンブラ２３４−１乃至２３４−８のそれぞれが、可変タンブラ２３３−１乃至２３３−８のそれぞれに設けられた孔を貫通することによって、可変タンブラ２３４−１乃至２３４−８のそれぞれと、可変タンブラ２３３−１乃至２３３−８のそれぞれとの位置関係が決まると説明したが、これに限ることなく、逆に、可変タンブラ２３４−１乃至２３４−８側に長穴を設けて、可変タンブラ２３３−１乃至２３３−８を通したり、いずれかの側面に溝を設けてこれに沿って摺動されるようにするなど、所望の方式で、互いの位置を決めるようにしてもよい。
【０１５４】
また、タンブラ２３１−１乃至２３１−８の噛合部２３１−１ｂ乃至２３１−８ｂのそれぞれと、可変タンブラ２３４−１乃至２３４−８のそれぞれの尖端部とが噛合すると説明したが、これに限ることなく、タンブラ２３１−１乃至２３１−８側に複数の穴を設けたりするなど、所望の方式で、互いの位置を決めるようにしてもよい。
【０１５５】
さらに、ホルダ２６１の規制突起用溝２６１ａ乃至２６１ｈおよび可変タンブラ２３４−１乃至２３４−８の後部の凸部の形状は、これに限ることなく、可変タンブラ２３４−１乃至２３４−８の後部に溝を設けるなど、図１５中の上下方向に移動でき、図１５中の左右方向に移動しない形状であればよい。
【０１５６】
さらに、バネとして、コイルバネを例に説明したが、これに限らず、付勢力を与えることができれば足り、板バネまたは樹脂などの弾性体とすることができる。
【図面の簡単な説明】
【０１５７】
【図１】従来のシリンダ錠の縦断面図である。
【図２】正規の鍵が挿入されている従来のシリンダ錠に縦断面図である。
【図３】リセット状態への移行を説明する、従来のシリンダ錠の縦断面図である。
【図４】リセット状態への移行を説明する、従来のシリンダ錠の縦断面図である。
【図５】リセット状態への移行を説明する、従来のシリンダ錠の縦断面図である。
【図６】リセット状態の従来のシリンダ錠の縦断面図である。
【図７】キーコードの変更を説明する、従来のシリンダ錠の縦断面図である。
【図８】キーコードの変更を説明する、従来のシリンダ錠の縦断面図である。
【図９】キーコードの変更を説明する、従来のシリンダ錠の縦断面図である。
【図１０】キーコードが変更された従来のシリンダ錠の縦断面図である。
【図１１】本発明に係るシリンダ錠の前端部側の外観斜視図である。
【図１２】本発明に係るシリンダ錠の後端部側の外観斜視図である。
【図１３】本発明に係るシリンダ錠の構成を示す斜視図である。
【図１４】本発明に係るシリンダ錠の鍵が挿入される方向における縦断面図である。
【図１５】図１４のＡ−Ａ線におけるシリンダ錠の縦断面図である。
【図１６】図１４のＢ−Ｂ線におけるシリンダ錠の横断面図である。
【図１７】正規の鍵の外観の例を示す斜視図である。
【図１８】鍵が完全に挿入されたシリンダ錠の縦断面図である。
【図１９】完全挿入確認レバーを説明する図である。
【図２０】図１８のＣ−Ｃ線、Ｄ−Ｄ線、およびＥ−Ｅ線におけるシリンダ錠の縦断面図である。
【図２１】施錠されている場合の、図１４のＡ−Ａ線におけるシリンダ錠の縦断面図である。
【図２２】開錠を説明する図１８のＤ−Ｄ線のおけるシリンダ錠の縦断面図である。
【図２３】開錠を説明する図１８のＤ−Ｄ線のおけるシリンダ錠の縦断面図である。
【図２４】ジョイントカムを説明する図である。
【図２５】リセットボタンを説明する図である。
【図２６】キーコードのリセット状態への移行を説明する、図１８のＤ−Ｄ線におけるシリンダ錠の縦断面図である。
【図２７】キーコードのリセット状態への移行を説明する、図１８のＤ−Ｄ線におけるシリンダ錠の縦断面図である。
【図２８】図２７における外周シリンダの凹部とホルダの凸部との嵌合を説明する図である。
【図２９】図２７におけるタンブラの噛合部と可変タンブラの尖端部との嵌合の解除を説明する図である。
【図３０】リセット状態のシリンダ錠の縦断面図である。
【図３１】図３０のＦ−Ｆ線におけるシリンダ錠の縦断面図である。
【図３２】キーコードを設定するための鍵が挿入されたシリンダ錠の縦断面図である。
【図３３】図３２のＧ−Ｇ線、Ｈ−Ｈ線、およびＪ−Ｊ線におけるシリンダ錠の縦断面図である。
【図３４】図３３Ｂにおける可変タンブラの上下方向の移動を説明する図である。
【図３５】キーコードの設定を説明するための図３２のＨ−Ｈ線におけるシリンダ錠の縦断面図である。
【図３６】図３５における外周シリンダの凹部とホルダの凸部との嵌合の解除を説明する図である。
【図３７】図３５におけるタンブラの噛合部と可変タンブラの尖端部との嵌合を説明する図である。
【符号の説明】
【０１５８】
１９１  シリンダ錠，
２０１  外周シリンダ，
２０１ｂ  溝，
２０１ｃ  溝，
２０１ｄ  凹部，
２０３  内周シリンダ，
２０３ａ  鍵穴，
２１１  リセットボタン，
２１２  ジョイントカム，
２３１−１乃至２３１−８  タンブラ，
２３１−１ａ乃至２３１−８ａ  凹部，
２３１−１ｂ乃至２３１−８ｂ  噛合部，
２３３−１乃至２３３−８  可変タンブラ，
２３４−１乃至２３４−８  可変タンブラ，
２５１  サイドバー，
２６１  ホルダ，
３１２  完全挿入確認レバー，
３１２ａ  テーパ面，
３１２ｂ  凸部，
３１３  レバー用ピン,
Ｋ3  鍵，
Ｋ4  鍵
【図１】
2005163326.tif 000003
【図２】
2005163326.tif 000004
【図３】
2005163326.tif 000005
【図４】
2005163326.tif 000006
【図５】
2005163326.tif 000007
【図６】
2005163326.tif 000008
【図７】
2005163326.tif 000009
【図８】
2005163326.tif 000010
【図９】
2005163326.tif 000011
【図１０】
2005163326.tif 000012
【図１１】
2005163326.tif 000013
【図１２】
2005163326.tif 000014
【図１３】
2005163326.tif 000015
【図１４】
2005163326.tif 000016
【図１５】
2005163326.tif 000017
【図１６】
2005163326.tif 000018
【図１７】
2005163326.tif 000019
【図１８】
2005163326.tif 000020
【図１９】
2005163326.tif 000021
【図２０】
2005163326.tif 000022
【図２１】
2005163326.tif 000023
【図２２】
2005163326.tif 000024
【図２３】
2005163326.tif 000025
【図２４】
2005163326.tif 000026
【図２５】
2005163326.tif 000027
【図２６】
2005163326.tif 000028
【図２７】
2005163326.tif 000029
【図２８】
2005163326.tif 000030
【図２９】
2005163326.tif 000031
【図３０】
2005163326.tif 000032
【図３１】
2005163326.tif 000033
【図３２】
2005163326.tif 000034
【図３３】
2005163326.tif 000035
【図３４】
2005163326.tif 000036
【図３５】
2005163326.tif 000037
【図３６】
2005163326.tif 000038
【図３７】
2005163326.tif 000039